(57)【要約】【課題】安価に製造可能な免震構造及び免震部材を提供する。【解決手段】建造物２を構築する地盤３に、廃棄光ケーブル２３を原料とする低密度ポリエチレンと高密度ポリエチレンとを含む免震部材１０を配置する。免震部材１０は、廃棄光ケーブルを利用したものであるので、安価に入手可能であるので、免震構造を安価に製造することができる。また、免震部材１０は、廃棄光ケーブル２３の被覆材であるため、可塑剤、カーボンブラックの含有量が多く、強靭性、耐候性を有する。【選択図】図２
2017048546.tif 000002
【特許請求の範囲】
【請求項１】
建造物を構築する地盤に、
低密度ポリエチレンと高密度ポリエチレンとを含む板状の免震部材を配置した免震構造。
【請求項２】
請求項１に記載の免震構造であって、
前記免震部材は、架橋ポリエチレン粉砕材をさらに含むこと、
を特徴とする免震構造。
【請求項３】
請求項１または２に記載の免震構造であって、
前記免震部材は、炭素繊維不織布をさらに含むこと、
を特徴とする免震構造。
【請求項４】
請求項１から４のいずれか１項に記載の免震構造であって、
前記免震部材は、ポアソン比νが０．４５≦νであること、
を特徴とする免震構造。
【請求項５】
請求項１から５のいずれか１項に記載の免震構造であって、
前記免震部材は、光ケーブルの廃材により製造されたものであること、
を特徴とする免震構造。
【請求項６】
請求項１から６のいずれか１項に記載の免震構造であって、
前記免震部材は、割り栗石の上に配置された流動性の固化剤の上に配置され、該免震部材の上に基礎部材が配置されていること、
を特徴とする免震構造。
【請求項７】
請求項１から７のいずれか１項に記載の免震構造であって、
前記免震部材の表面には、凹形の油たまりが複数設けられていること、
を特徴とする免震構造。
【請求項８】
請求項１から８のいずれか１項に記載の免震構造であって、
前記免震部材は、複数枚積層されていること、
を特徴とする免震構造。
【請求項９】
低密度ポリエチレン、高密度ポリエチレンを含むこと、
を特徴とする免震部材。
【発明の詳細な説明】
【技術分野】
【０００１】
本発明は、免震構造及びその免震部材に関するものである。
【背景技術】
【０００２】
光ケーブルは、通信分野での利用拡大のため、その使用量が急増している。これに伴い、廃棄光ケーブルの量も増大している。
廃棄光ケーブルは、廃棄物であるため安価に入手可能である。また、光ケーブルは、難燃性、耐風化性、柔軟性、非収縮性、及び耐外傷性等の優れた性能が要求され、廃棄光ケーブルも、これらの性能を有している。
【０００３】
一方、従来、建造物の基礎に用いられる免震構造としては種々のものがある。
例えば、住宅を構築する地盤を、住宅の外周形状よりやや大きく凹状に掘削して、外周に周壁を有する凹部を形成し、且つ該凹部の底盤面に平滑性を持たせる一方、強度性と柔軟性を有する天然ゴム、合成ゴムあるいは合成樹脂により形成され、上・下面シートの外周を周壁板で一体に接合して中空部を設け、且つ該中空部内に前記上・下面シートよりは小巾で、且つ摩擦係数が小さい合成樹脂板より成る中間板を装入すると共に、前記中空部内に潤滑性を有する液状・クリーム状・粉状あるいはゼリー状の潤滑材を多少の空隙部を残して充填密封して形成された免震マットを前記凹部の底盤面上に載置し、且つ前記免震マット上に布基礎を設置して住宅を構築し、更に前記周壁と該周壁に対面する布基礎間の間隙部に巨大地震による衝撃力を受けると崩壊して見掛け上の容積を減少する崩壊性材料を充填したことを特徴とする一般用住宅の免震装置がある（特許文献１参照）。
【０００４】
また、建物のコンクリート基礎が２層の発泡樹脂板を介して地盤上に支承されると共に、２層の発泡樹脂板の間であって、２層の発泡樹脂板のいずれか一方又は双方に、滑り板が発泡樹脂板と一体化して設けられ、地震による横揺れによって、発泡樹脂板と滑り板間又は滑り板間に滑りを生じて建物が免震されるようになされており、滑り板は、免震時の発泡樹脂板と滑り板間又は滑り板間の滑りによって発生する摩擦熱による滑り面の温度上昇を抑制するのに十分な熱容量を有している基礎下免震構造がある（特許文献２参照）。
【先行技術文献】
【特許文献】
【０００５】
【特許文献１】特開２００１−２０７６８２号公報
【特許文献２】特許４９２９４０６号公報
【発明の概要】
【発明が解決しようとする課題】
【０００６】
本発明は、安価に製造可能な免震構造及び免震部材を提供することを目的とする。
【課題を解決するための手段】
【０００７】
上記課題を解決するために、本発明の一形態の免震構造は、建造物を構築する地盤に、低密度ポリエチレンと高密度ポリエチレンとを含む板状の免震部材を配置した。
前記免震構造は、前記免震部材は、架橋ポリエチレン粉砕材をさらに含んでもよい。
前記免震部材は、炭素繊維不織布をさらに含んでもよい。
前記免震部材は、ポアソン比νが０．４５≦νであってもよい。
前記免震部材は、光ケーブルの廃材により製造されたものであってもよい。
前記免震部材は、割り栗石の上に配置された流動性の固化剤の上に配置され、該免震部材の上に基礎部材が配置されていてもよい。
前記免震部材の表面には、凹形の油たまりが複数設けられていてもよい。
前記免震部材は、複数枚積層されていてもよい。
また、本発明の他の形態の免震部材は、低密度ポリエチレン、高密度ポリエチレンを含む。
【発明の効果】
【０００８】
本発明によれば、安価に製造可能な免震構造及び免震部材を提供することができる。
【図面の簡単な説明】
【０００９】
【図１】実施形態の免震構造を説明する図である。
【図２】図１の部分拡大図である。
【図３】廃棄光ケーブルの断面図である。
【図４】免震部材の製造方法を示した図である。
【図５】本実施形態の免震部材の正面図である。
【図６】本実施形態の免震構造を墓石の基礎に用いた例を示した図である。
【発明を実施するための形態】
【００１０】
以下、本発明の実施形態について説明する。
本実施形態の免震構造１は、建造物２を構築する地盤３に埋設されたもので、免震部材１０を含む。図１は、実施形態の免震構造１を説明する図であり、図２は、図１の部分拡大図である。
【００１１】
本実施形態の免震構造１は、建造物２を構築する地盤３を掘削し、その掘削された部分に配置するもので、複数枚積層された板状の免震部材１０（１０ａ、１０ｂ、１０ｃ）を含む。本実施形態では、免震部材１０を３枚積層するが、３枚に限定されるわけではなく、それ以上でも、それ以下であっても良い。
【００１２】
図２に示すように免震構造１は、鉛直方向の下から、割り栗石１１と、捨コン１２と、免震部材１０（１０ａ、１０ｂ、１０ｃ）と、基礎部材１４とを備える。捨コン１２は、免震部材１０を敷設するための水平レベルを出すための流動性の固化剤である。
【００１３】
割り栗石１１と捨コン１２と免震部材１０とは、建造物２及び基礎部材１４よりも広い範囲に敷設されている。このように免震部材１０は、建造物２の下の全面に敷設されるため、建造物２の荷重が加わった場合に、ヘルツ接触応力を小さくすることができる。なお、ヘルツ接触応力とは、弾性接触部分にかかる応力あるいは圧力のことである。
【００１４】
割り栗石１１と捨コン１２と免震部材１０の上の、基礎部材１４が配置されていない部分、すなわち基礎部材１４の外周には、３０倍発泡ポリエチレンの緩衝材１３が配置されている。
また、免震構造１は、基礎部材１４の中を通って免震部材１０まで延びるパイプ５を備える。基礎部材１４の外部よりパイプ５にグリースを注入すると、グリースはパイプ５を通って、積層された免震部材１０ａ、１０ｂ、１０ｃの間に供給される。グリースは、例えばリチウム石鹸グリース（静摩擦抵抗をμ＝０．０１）である。このグリースによって、隣接する免震部材１０ａ、１０ｂ、１０ｃは互いに対して水平方向に相対移動しやすくなる。
【００１５】
免震部材１０は、廃棄光ケーブルをリサイクルしたものである。図３は廃棄光ケーブル２３の断面図である。図４は、免震部材１０の製造方法を示した図である。
【００１６】
図３に示すように廃棄光ケーブル２３は、廃棄前の光ケーブルも同様であるが、導体（鋼線）と、絶縁体、介在物、テープ及びシースを含む。
免震部材１０は、以下のように製造する。
まず、廃棄光ケーブル２３を、粉砕機２０で破砕する。
次いで、粉砕機２０で粉砕された廃棄光ケーブル２３を、選別装置２１で、鋼線屑、プラスチック屑２５、及び綿状軽量物２２（テープ等の繊維が粉砕され細かくなったもの）に選別する。
本実施形態の免震部材１０は、このうちのプラスチック屑２５と、綿状軽量物２２とを用い、さらに、その他に電力線のシラン架橋ポリエチレンの粉砕材とを混合して製造する。
【００１７】
本実施形態の免震部材１０に用いるプラスチック屑２５及び綿状軽量物２２は、複数種類の廃棄光ケーブル２３の粉砕品より選別されたものである。
複数種類の廃棄光ケーブル２３は以下のＡ又はＤのいずれかと、Ｂと、を含む。
【００１８】
Ａ：保護テープが付いたままの廃棄光ケーブル２３の粉砕品より選別された綿状軽量物２２である。鋼線は粉砕後、除去される。主成分はポリエチレンである。  ポリエチレンは、高密度ポリエチレン（密度０．９４、メルトフローレイト０．２）と、低密度ポリエチレン（密度０．９３、メルトフローレイト０．２）とを含む。
介在物にスロットと称する高密度ポリエチレン、中密度ポリエチレン（高密度と中密度との間に位置づけられるポリエチレン群）、不織布を含む。市内ケーブルの破砕品である。  
【００１９】
Ｄ：保護チューブが付いたままの廃棄光ケーブル２３の粉砕品より選別された綿状軽量物２２である。鋼線は粉砕後、除去される。主成分はポリエチレンである。保護テープの装着状態によって若干のＥＶＡ（エチレン酢酸ビニルコポリマー）が含まれる。
ポリエチレンは、高密度ポリエチレン（密度０．９４、メルトフローレイト０．２）と、低密度ポリエチレン（密度０．９３、メルトフローレイト０．２）とを含む。
介在物に高密度ポリエチレン、不織布を含む。市内ケーブルの破砕品である。
【００２０】
Ｂ：保護チューブを除去した廃棄光ケーブル２３の粉砕品より選別された綿状軽量物２２である。鋼線は粉砕後、除去される。この廃棄光ケーブル２３は屋内配線用であったもので、低密度ポリエチレン（密度０．９３、メルトフローレイト０．２）と炭素繊維不織布とを、重量比は９５：５程度である。
介在物に高密度ポリエチレンを含まず、不織布、炭素繊維ケプラーを含む。室内にＬＡＮケーブル破砕品である。
【００２１】
本実施形態の免震部材１０は、このＡ又はＤのいずれかのプラスチック屑２５及び綿状の軽量物２２と、Ｂのプラスチック屑２５及び綿状の軽量物２２とを含み、上述したように、その他に電力線のシラン架橋ポリエチレン粉砕材も含む。
破砕品ＡとＤは、低密度ポリエチレンと高密度ポリエチレン含有量の割合が概重量比４０：６０に構成されている。破砕品Ｂは、屋内配線用光ケーブルリサイクル品で低密度ポリエチレンと炭素繊維不織布の含有量割合が概重量比９５：５に構成されている。
【００２２】
これらの混合物を、二軸混練押出機で加熱する。
加熱された混合物を混練溶融し、ゲル状体になった後、圧縮成形プレス金型に投入し、加圧する。
次いで、加圧保持したまま上下金型に冷却水を循環させ、ゲル状体をガラス転移温度以下に冷却成形固化し、その後、取り出す。
常温冷却アニーリングし、矩形の免震部材１０を形成する。
図５は本実施形態の免震部材１０の正面図である。免震部材１０の表面は凹形シボ（油たまり３０）が形成されて、裏面は平坦であり、全角部３１にＲ２以上の面取りが成形されている。
【００２３】
なお、シラン架橋ポリエチレンは２００℃前後では溶融しないが、１ｍｍ前後に微粉砕して加熱すると、２００℃で微小（直径２，３ｍｍ）な粒になり、発泡したようになる。
電線被覆のようなメルトフローレイト０．２前後の流動性の悪い樹脂に架橋ポリエチレンを混練すると、押し出し成形はできない。成形速度が遅くなり、冷却すると架橋ポリエチレンが窪むからである。
このため、本実施形態では、プレスで圧縮成形する。そうすると架橋ポリエチレンは発泡しないで外側の面に広がる。そして、加圧保持したまま冷却固化する。
流動性を示すメルトフローレイト０．２以下の低密度ポリエチレン、高密度ポリエチレン、架橋ポリエチレンを混合溶融し、高圧で圧縮成形することで、低温流動（クリープ）の少ない樹脂で、表面精度を０．３Ｓ程度に仕上げることができる。
【００２４】
図５は、免震部材１０を示した図である。
図示するように、免震部材１０には、深さ約２ｍｍ、幅約４ｍｍ、長さ約３０ｍｍの凹形の油だまり３０が約８００個／ｍ２形成されている。
免震部材１０の表層はポリエチレン分子鎖が結合し架橋状態となり、高密度ポリエチレンと同じ程度の硬さで、デュロメーター硬さＨＤＤ５６程度である。
免震部材１０の１０％歪の圧縮応力は、１２．７Ｍｐａであり、降伏点がない。このため、住宅など軽量建造物２を長期に支承しても弾性破壊しない。
【００２５】
免震部材１０の元となる廃棄光ケーブルは、燃焼試験ＪＩＳ  Ｃ３００５，ＵＬ１５８１−１０８０（ＶＷ−１），ＩＥＣ６０３３２−１，２等規格に合格したものである。したがって廃棄光ケーブルが原料の免震部材１０も、その性質を有する。
【００２６】
免震部材１０の物性値を以下に示す。
絶縁抵抗：５×１０４〜２×１０１６  Ω
ポアソン比：ν＝０．４５
ヤング率：Ｅ＝３．４×１０５ＫＮ／ｍ２
剪断弾性係数：Ｇ＝１．１７×１０５ＫＮ／ｍ２
１０％歪の圧縮応力：１２．７Ｍｐａで降伏点はない。
なお、本実施形態の免震部材１０のポアソン比νは０．４５であるが、これに限定されず、０．４５以上であればよい。
免震部材１０は、弾性範囲内でフックの法則が成り立つ。弾性波の速度は、以下の式に示すように波長と振動数を乗じたものとなる。ポアソン比νが大きいと伝播速度が小さくなり、波長は短く、振動数が大きくなる。
ｖ＝ｆλ      ｆ＝１／Ｔ
振動波のスペクトル分析を行うと、振動波はλ＝１５０ｍ以上で、免震部材１０による入射速度を遮蔽効果はＦＥＭ解析できない。しかし、弾性波ならスネルの法則も適用され、媒質のポアソン比が大きいと臨界角は小さくなり、臨界角以上の波動は反射され、地震波は減衰される。  
【００２７】
本実施形態の免震部材１０の圧縮応力が１２．７ＭＰａとなるのは、廃棄光ケーブル２３中に含まれる、低密度ポリエチレン、高密度ポリエチレン、炭素繊維ケプラー、架橋ポリエチレンを、免震部材１０が含むからである。それぞれの原料を単独に成形してもこのような値にはならない。
このように、１０％歪の圧縮応力は１２．７Ｍｐａで降伏点がないので、床面が平坦なら建造物２の基礎と上部建物を支承しても撓まず、圧縮歪が小さいので建造物２を支承することができ、建造物２の荷重が弾性限界を超えない限り、地盤振動は吸収できる。
【００２８】
このように製造された免震部材１０は、上述のように免震構造１の一部として、図１及び２に示すように、地中に埋設される。
この際、免震部材１０は、建造物２と地盤３と確実に絶縁して地震動や交通振動の建造物２への伝達を防止するため、表面にリチウム石鹸グリース（静摩擦抵抗をμ＝０．０１）が塗布される。グリースは、油たまり３０に保持される。
【００２９】
本実施形態の免震部材１０の歪εＺを建築条件から算出すると
【数１】
2017048546.tif 000003
より設計荷重を３０ＫＮ／ｍ２とすると鉛直歪εｚは０．０２３ｍｍ、である。
Ｅはヤング率、
αはポアソン比とひずみ量の係数、
ν＝０．４５
である。鉛直方向歪量は０．０２３ｍｍであるので１０％歪の１／５６で弾性限界内、地盤振動は吸収、熱に変換できる状態にある。
【００３０】
地震動は地盤３を媒体にして伝播し建造物２に進入するＶｓ波の運動だが、物質自身が進むのではなく振動が次々に伝わっていく現象である。このため、地震が発生し震源から地震動が到来したとき地盤３と建造物２が分離絶縁していると分離絶縁面で地震動は散逸、減衰する。
【００３１】
したがって、建造物２の基礎下に免震部材１０を敷設し、分離絶縁すると、伝達できなかった地震エネルギーは、免震部材１０の水平方向の滑り摩擦熱に変換されて消費散逸する。上下振動の振動エネルギーは、免震部材１０の弾性力で吸収減衰され、建造物２へ進入する加速度が小さくなる。
【００３２】
建造物２を支承し、建造物２の重量を地盤３に伝える簡易免震装置は圧壊しないかぎり弾性を保ちポアソン比ν＝０．４５は変わらない。
したがって、地震波の縦波や高周波振動他上下微振動は吸収減衰でき、水平方向は地盤３と免震構造１との当接面、あるいは積層した免震部材１０間の当接面で剪断荷重を受けて水平回動移動し、一部、振動エネルギーに熱散逸し、一部は摩擦熱に変換消費される。
【００３３】
本実施形態によると、免震部材１０ａ、１０ｂ、１０ｃが積層されている。免震部材１０ａ、１０ｂ、１０ｃは互いに滑り合うので、免震部材１０ｃの横揺れは、免震部材１０ｂに伝達されにくく、さらに免震部材１０ｂの揺れは免震部材１０ａへ、より伝達されにくい。さらに免震部材１０ａ、１０ｂ、１０ｃの間にはグリースが塗布されているので、滑りやすく、地盤の振動はより伝達されにくい。
したがって、本実施形態の免震構造１によると、地震が発生した場合であっても、建造物の揺れを、より低減することができる。
【００３４】
また、Ｎ値１〜５までの変形係数を設定し、最大変位量及び最大主応力のＦＥＭ２次元弾性解析を実施した。本実施形態の免震部材１０が、どの程度まで軟質な地盤に適用可能かを確認するためである。
以下の表１に解析結果を示す。表１は、５００ＫＮ／ｍ２（０．５ＭＰａ）の輸圧の変移を示したものである。
【表１】
2017048546.tif 000004
表に示すように、Ｎ値が２以下であると、最大変位量は７９や１５５と大きな値となる。許容変位は５０強程度であるので、実施形態の免震部材１０は、地盤３がＮ値３以上の地盤３で用いることが好ましい。
【００３５】
また、免震部材１０と発生軸力及び引っ張り強さを解析した結果を表２に示す。
【表２】
2017048546.tif 000005
本実施形態では、地盤の上に、栗石を転圧し、その上に、レベルを出すための捨コンを敷設し、その捨コンの上に免震部材を設置する。住宅荷重は０．０１５ＭＰ程度であるので、免震部材１０は部分的に撓むことがない。
したがって、本実施形態の免震部材１０は、柔軟な地盤３に対しても適応可能であるので、地盤３が不良であっても破損等の心配はない。
【００３６】
本実施形態の免震部材１０は、ポアソン比、０．４５≦νである。すなわち振動波を弱めることができるので、地震が発生した場合であっても、建造物の揺れを低減することができる。
【００３７】
さらに、免震部材１０は、廃棄光ケーブル２３の被覆材であるため、可塑剤、カーボンブラックの含有量が多く、強靭性、耐候性を有する。
【００３８】
免震部材１０は、廃棄光ケーブル２３のポリエチレン複合樹脂により製造されている。廃棄光ケーブル２３の被覆材は、燃焼試験に合格した非燃焼性の炭化水素系樹脂１００％で、実際に住宅に使用していたものである。本実施形態のように再生しても、熱履歴は小さいので殆ど物性は変わらない。したがって本実施形態の免震部材１０は、非燃焼性を有する。
【００３９】
免震部材１０の表面にリチウム石鹸グリース（静摩擦抵抗をμ＝０．０１）を塗布するため、地震動や交通振動を受けて建造物２や建造物２と地盤３と確実に絶縁することができる。
また、概深さ２ｍｍ幅４ｍｍ長さ３０ｍｍの凹形の油だまりを８００個／ｍ２設けたため、３０年以上、長期に保存することができる。
【００４０】
免震部材１０は、熱膨張係数は一般プラスチックの１／３以下（１０／２０００ｍｍ以下）で、１０％歪の圧縮応力は１２．７Ｍｐａで降伏点がない。したがって、床面が平坦なら建造物２の基礎と上部建物を支承しても撓まず、住宅など軽量建造物２を長期に支承しても弾性破壊しない。
また、免震部材１０は、圧縮歪が小さいので建造物２を支承することが可能である。
さらに免震部材１０は、建造物２の荷重が弾性限界を超えないかぎり地盤３の振動を吸収できる。
【００４１】
原料に高密度ポリエチレンのみで低密度ポリエチレンを含まない免震部材は、曲げに対して割れやすい。
しかし、本実施形態の免震部材１０は、高密度ポリエチレンと低密度ポリエチレンとを含む。この場合、表層はポリエチレン分子鎖が結合し架橋状態となり、高密度ポリエチレンと同じ程度の硬さであるが、デュロメーター硬さはＨＤＤ５６程度となる。さらに、免震部材１０の１０％歪の圧縮応力は、１２．７Ｍｐａであり、降伏点がなかった。
このため、住宅など軽量建造物２を長期に支承しても弾性破壊せず、これにより、安価に免震構造１を提供することができる。
【００４２】
免震部材１０は基礎下全面に敷設されているので、建造物２の荷重が掛かった場合にヘルツ接触応力が小さくなる。したがって、免震部材１０は変形しにくく、耐久性が向上する。
免震部材１０と地盤３の間には変位を吸収するために３０倍発泡ポリエチレンの緩衝材１３が配置されているので、緩衝材３６で地震動や交通振動の変位を吸収することができる。
【００４３】
免震部材１０は、廃棄光ケーブルを利用したものであるので、安価に入手可能であるので、免震構造を安価に製造することができる。
【００４４】
以上、本発明の一実施形態として、免震部材１０を建造物２の下に敷く免震構造１について説明したが、本発明はこれに限定されない。例えば、免震部材１０を建造物２の壁等に用いてもよい。
なお、本明細書において「建造物」とは、住居、ビルディング等に限らない。例えば、図６に示すように墓石４０等の石造物も含み、免震部材１０を墓石４０（建造物２）の下に敷く免震構造１も含む。
【００４５】
また、本発明は建築物免震に限定されない。建築物全体でなく各階の床の免震もでき、  基礎もベタ基礎に限らず布基礎、飛び基礎に適用でき、墓所、鳥居、石灯篭他石造構造物の免震に適用できる。
また圧縮強度が大きく割れない樹脂板なので、建造物が不同沈下したとき基礎下まで掘削し、ジャッキアップするときのベースにすれば固い地盤になりコンクリートミルク注入や、グラウト液注入して不同沈下修正もできる。
さらに、梁や柱に固定し制振、耐震壁となり壁倍率も上げる事ができる。
【符号の説明】
【００４６】
１：免震構造、２：建造物、３：地盤、１０：免震部材、２２：綿状軽量物、２３：廃棄光ケーブル、３０：油たまり、３０：油だまり
【図１】
2017048546.tif 000006
【図２】
2017048546.tif 000007
【図３】
2017048546.tif 000008
【図４】
2017048546.tif 000009
【図５】
2017048546.tif 000010
【図６】
2017048546.tif 000011